(57)【要約】【課題】壁面を損傷せずに家具、棚、薄型ＴＶ、絵画等の高さが異なる様々の設置物を壁面に頼らず安定して設置することができ、しかも設置物やその支持している構造を簡単に取り外すことができる壁面設置部材を提供する。【解決手段】壁面Ｗに沿って設置される設置物８０を固定する壁面設置部材１０であって、壁面Ｗに沿って併設された少なくとも２本一組の柱材２０，３０と、上下方向に伸縮自在の天井突張具４０とからなり、前記柱材２０，３０のうち、一方の柱材２０には前記天井突張具４０を上部に備えて天井面Ｕに当接させ、他方の柱材３０には前記一方の柱材２０を取り外し自在に固定すると共に、下部を床面Ｆに当接させて独立して起立させた壁面設置部材１０であることを特徴とする。【選択図】図１
2014150906.tif 000002
【特許請求の範囲】
【請求項１】
壁面に沿って設置される設置物を、面材を介して或いは設置物を直接固定する壁面設置部材であって、
壁面に沿って併設された少なくとも２本１組の柱材と、上下方向に伸縮自在の天井突張具とからなり、
前記柱材のうち、一方の柱材には前記天井突張具を上端に当接させて備え、且つ、他方の柱材の側面に固定して該天井突張具を天井面に当接させ、他方の柱材には前記一方の柱材を取り外し自在に固定すると共に、下部を床面に当接させて独立して起立させたことを特徴とする壁面設置部材。
【請求項２】
前記柱材の前面に、前記設置物を固定支持する面材を着脱自在に備えたことを特徴とする請求項１に記載の壁面設置部材。
【請求項３】
前記面材とその背面側で対向する壁面との対向面間の側方開口部を覆う化粧側板を備えたことを特徴とする請求項１または２に記載の壁面設置部材。
【請求項４】
前記併設された一対の柱材の複数対を壁面に沿って設置したことを特徴とする請求項１乃至３のいずれかに記載の壁面設置部材。
【請求項５】
前記面材を複数に分割して備えたことを特徴とする請求項２乃至４のいずれかに記載の壁面設置部材。
【発明の詳細な説明】
【技術分野】
【０００１】
本発明は、壁面に沿って設置される設置物を壁面に固定させずに設置可能な壁面設置部材に関する。
【背景技術】
【０００２】
従来よりリビングルーム、応接室、ホール、画廊等の壁面には、家具、棚、薄型テレビ、絵画等の設置物を壁面に沿って取り付けるようにした壁面への様々な取付構造が知られている。例えば、壁面を構成している石膏ボード等の表面材上からその内部にある柱、間柱等に、釘、ビス等を打ち込んで壁面の表面に新たな下地材を構築し、この下地材に設置物を取り付ける壁面取付構造が提案されている(例えば特許文献１参照)。
【先行技術文献】
【特許文献】
【０００３】
【特許文献１】特開平１１−１２８００６号
【発明の概要】
【発明が解決しようとする課題】
【０００４】
しかし、この種の壁面取付構造では壁面強度を確保するために壁面に新たな下地材を施工しなければならず、その際に元の壁面が損傷してしまい、壁面に下地材の施工跡が残ってしまう。さらに、室内の模様替えや引っ越しを行う場合には、壁面から設置物及び下地材を取り外し、取り外し後に傷跡として露出した壁面を修復する作業が必要となっていた。このように、設置物の新設時や設置替えに際しては、下地材の着脱作業や壁面の修復作業を要して大掛かりな壁面工事となっていた。特に、賃貸住宅等では壁面を損傷することになるため壁面への取り付けが難しくなっていた。
【０００５】
また、壁面を傷つけないように設置物の上面に天井突張具を搭載して設置物を上下方向に突っ張り支持することも考えられるが、この場合は設置物の高さが低いと適用することが難しく、天井突張具の利用可能な高さの設置物に限られていた。
【０００６】
そこで、本発明の主たる課題は壁面を損傷することなく設置物を壁面に沿って設置することができ、また高さが低い設置物であっても壁面に頼らず安定して設置でき、しかも設置物やその支持構造を簡単に取り外すことができる壁面設置部材を提供することを目的とする。
【課題を解決するための手段】
【０００７】
請求項１に記載した発明は、「壁面Ｗに沿って設置される設置物８０を、面材５０を介して或いは設置物８０を直接固定する壁面設置部材１０であって、
壁面Ｗに沿って併設された少なくとも２本１組の柱材２０，３０と、上下方向に伸縮自在の天井突張具４０とからなり、
前記柱材２０，３０のうち、一方の柱材２０には前記天井突張具４０を上端に当接させて備え、且つ、他方の柱材３０の側面に固定して該天井突張具４０を天井面Ｕに当接させ、他方の柱材３０には前記一方の柱材２０を取り外し自在に固定すると共に、下部を床面Ｆに当接させて独立して起立させた」ことを特徴とする壁面設置部材１０である。
【０００８】
請求項２に記載した発明は、請求項１に記載の壁面設置部材１０において、「前記柱材２０，３０の前面に、前記設置物８０を固定支持する面材５０を着脱自在に備えた」ことを特徴とする。
【０００９】
請求項３に記載した発明は、請求項１または２に記載の壁面設置部材１０において、「前記面材５０とその背面側で対向する壁面Ｗとの対向面間の側方開口部Ｓを覆う化粧側板６０を備えた」ことを特徴とする。
【００１０】
請求項４に記載した発明は、請求項１乃至３のいずれかに記載の壁面設置部材１０において、「前記併設された一対の柱材２０，３０の複数対を壁面Ｗに沿って設置した」ことを特徴とする。
【００１１】
請求項５に記載した発明は、請求項２乃至４のいずれかに記載の壁面設置部材１０において、「前記面材５０を複数に分割して備えた」ことを特徴とする。
【発明の効果】
【００１２】
請求項１に記載の発明によれば、一方の柱材２０に備えられた天井突張具４０の突張作用によって天井面Ｕと床面Ｆとの上下間に柱材２０，３０を突っ張らせて起立させることができるが、天井突張具４０が柱材２０の上端に当接させて備えられ、且つ、該柱材２０が他方の柱材３０の側面に取り付けられているので、他方の柱材３０に天井突張具４０から大きな突っ張り力が加わっても添設用の柱材２０がこれを直接受け止めることになり、さらに、併設された２本１組の柱材２０，３０に面材５０を取り付け、設置物８０を壁面Ｗに設置しても両柱材２０、３０が協働してこれら荷重を受けることができ、壁面Ｗに頼らず柱材２０，３０を独立して固定した状態で撓むようなことがない。
【００１３】
また、面材５０を用いて設置物８０を、或いは直接壁面設置部材１０に設置物８０を取り付けることになるので、設置物８０の取付高さや位置に制約を受けず、さらには設置物８０の高さが低くても高い位置に取り付けることができる。即ち、設置物８０を面材５０の好みの位置に取り付けることが可能になる。さらに、天井突張具４０の突っ張りを解除すれば、直ちに天井突張具４０と柱材２０，３０とを取り外すことができ、壁面Ｗを傷つけることがない。
【００１４】
請求項２に記載の発明によれば、柱材２０，３０が下地柱となるため、前述のようにここに直接設置物８０を取り付けることができるほか、取付面積が広い下地板として平面的な面材５０を取り付けることができる。この面材５０は垂直な柱材２０，３０の前面(正面２０ａ，３０ａ)に平面的に取り付けることができるため、取付領域が広くなり、設置物８０の取付性が容易になる。
【００１５】
請求項３に記載の発明によれば、面材５０を設置した場合、面材５０の背方に位置する柱材２０，３０は正面側からは面材５０で遮蔽されて見えないが、その側方からは視認可能な開口状態となるので、その側方開口部Ｓを化粧側板６０で覆って見栄えを損なわないようにすることができる。これにより、壁面設置部材１０は周囲から見ても内方空間は遮蔽されて見えないため美観が損なわれず、意匠性を高めることができる。また、化粧側板６０は遮蔽機能以外にもその一部を切り欠いて支障が生じないようにすることができる。例えば、室内の壁面下部に施されている巾木を避ける巾木用切欠き部６１、壁面Ｗに沿わせて配線を挿通させる配線用切欠き部６２等の切欠き空間を設けることができる。
【００１６】
請求項４に記載の発明によれば、下地柱となる一対の柱材２０，３０の複数対を備えることができるので、設置物８０の大きさや取付数に制約を受けなくなり、様々な設置物８０の取り付けが可能になる。
【００１７】
請求項５に記載の発明によれば、大きな１枚の面材５０ではなく、組み立て易い小さめの面材５０に分けて取り付けることができるので組み立て易くなり、面材５０の取り扱いや運搬も容易になる。
【図面の簡単な説明】
【００１８】
【図１】(Ａ)は本発明の壁面設置部材を示す平面図、(Ｂ)は本発明の壁面設置部材を一部省略して示す正面図である。
【図２】本発明の壁面設置部材を一部省略して示す背面図である。
【図３】本発明の壁面設置部材を一部省略して示す要部分解斜視図である。
【図４】(Ａ)は本発明の柱材の連結状態を示す縦断正面図、(Ｂ)は本発明の柱材の連結状態を示す側面図である。
【図５】(Ａ)は本発明の他の実施例を示す３分割した面材の組み立て状態を示す斜視図、(Ｂ)はその３分割パネルを分解して示す正面図、(Ｃ)はその３分割パネルを分解して示す側面図である。
【発明を実施するための形態】
【００１９】
以下、本発明を図示実施例に従って説明する。図１乃至図３は本発明の壁面設置部材１０を示し、この壁面設置部材１０は左壁面沿設部材１１と、右壁面沿設部材１２と、必要に応じて設けられる、これらに支持される面材５０とから構成される。ここで、左壁面沿設部材１１と右壁面沿設部材１２とは同じ構造を有して左右対称に設けられるため、一方の右壁面沿設部材１２(図３)のみを例にとって説明し、他方の左壁面沿設部材１１の同じ説明は省略する。
【００２０】
右壁面沿設部材１２は、柱材２０，３０と、天井突張具４０と、必要に応じて設けられる化粧側板６０及び補強材７０とを備えて構成される。
【００２１】
前記柱材２０，３０は、左右に併設される２本一組で構成し、左側(正面視内側)には底面２３から上面２４までの長さが天井高さより低い、添設用の四角柱である、内側の柱材２０（以下、内柱材２０という。）を用い、右側(正面視外側)には底面３３から上面３４までの長さが内柱材２０よりも背の高い四角柱の外側の柱材３０（以下、外柱材３０という。）を用いて構成している。
【００２２】
このうち内柱材２０は、上面２４とその上方に対向する天井面Ｕとの間に後述する天井突張具４０を設置させる上方空間２５を確保するため上部を短く形成している。さらに、内柱材２０の側面２０ｂにはビス挿通孔２１と、ダボ孔２６(図４)を貫通して設けており、これらの各孔２１，２６は上下方向に一定間隔にて複数有している。
【００２３】
外柱材３０は、上面３４が天井面Ｕ近くに至る背高の長さを有しており、側面３０ｂには内柱材２０の各ビス挿通孔２１と対向する鬼目ナット孔３２を貫通して設けている。さらに、外柱材３０の上部側面にも後述する天井突張具４０のビス挿通孔４６と側面方向で対応する鬼目ナット孔３１を貫通して設けている。
【００２４】
これらの柱材２０，３０は断面四角形状の、木質材、樹脂材、金属フレーム等を用い、床面Ｆから垂直に立ち上げる支持部材として十分な強度が得られる長さと剛性があればよい。なお、柱材２０は添設用なので、設置物８０の重量を考慮して設置物８０に適合するような太さのものに適宜変更できる。
【００２５】
上述の天井突張具４０は、下部より上部側にかけて本体４１、固定軸４２、昇降筒体４３をこの順に連結して構成される。本体４１は、内柱材２０と略同じ外形状を有する中空の金属四角柱、或いは中実樹脂又は木質材で構成される。側面には上述した外柱材３０の鬼目ナット孔３１と対応してビス４５を挿通させるビス挿通孔４６を貫通して設けている。さらに、本体４１の上部中央には後述する固定軸４２の下端を固定する軸固定部４１ａを有している。
【００２６】
上述の固定軸４２は、軸の外周面に雄ネジが形成された雄ネジ軸(ボルト)で構成することができ、その下端部が本体４１の軸固定部４１ａに固定されて本体４１の上面中央に起立している。
【００２７】
昇降筒体４３は、筒状の内周面に上述した固定軸４２の雄ネジに螺合する雌ネジを有し、外周面に回動操作用の六角形状を有している。さらに、昇降筒体４３の頂部には天井面突っ張り用の突張円板４４を水平に取り付けている。この昇降筒体４３は固定軸４２に螺合して搭載されており、昇降筒体４３を一方に回転させると該昇降筒体４３は螺合部分のネジ送り作用により固定軸４２に沿って上動し、他方に回転させると昇降筒体４３は下動する昇降構造を有している。
【００２８】
面材５０は、下地板に適した強度を有するプラスターボード、合板、ＭＤＦ等を用い、さらにこのプラスターボード等の表裏に化粧プリントを施して美観と品質を高めている。また、内柱材２０に固定するための後述する面材固定金具Ｊ１のビス取付孔５０ａを面材５０の裏面に設けている。そして、この面材５０の表面に、家具、棚、薄型テレビ、絵画等の設置物８０(図３参照)をビス止めさせて設置する支持構造を有している。
【００２９】
化粧側板６０は、床面Ｆから天井面Ｕに達する長さを有し、且つ図１(Ａ)に示すように、外柱材３０の側面部分を含む右壁面沿設部材１２の側方開口部Ｓを遮蔽する奥行き長さを有して構成される。さらに、化粧側板６０の下部には室内の壁面下部に施されている巾木との接触を避ける巾木用切欠き部６１(図３参照)と、配線との接触を避ける配線用切欠き部６２とを階段状に切り欠いて設けている。
【００３０】
補強材７０は、第１補強桟７１と第２補強桟７２との補強箇所が異なる２種類を併用しており、第１補強桟７１は左右の壁面沿設部材１１，１２の内柱材２０，２０間を水平に結ぶ連結長さを有し、両端面には内柱材２０のダボ孔２６に対応するダボ７１ａを突出させて左右の壁面沿設部材１１，１２を連結し起立させて施工を容易にしている。第２補強桟７２は、両柱材２０，３０の併設幅長さを有して両柱材２０，３０の背面側の高さ方向に長く沿って宛がう長尺板であり、両柱材２０，３０を壁面Ｗから巾木の厚みだけ浮かせている。これらの補強桟７１，７２は右壁面沿設部材１２の強度を確保するのに必要な数を付設するものであり、第１補強桟７１と壁面Ｗとの間には配線等が行える隙間（配線スペース）６３が設けられる。
【００３１】
次に、壁面設置部材１０を組み立てる際、まず内柱材２０と外柱材３０とを床面Ｆ上に寝かせて並べる。このとき、図４(Ａ)に示すように、内柱材２０に備えられているビス挿通孔２１と外柱材３０に備えられている鬼目ナット孔３２とを位置合わせする。そして、内柱材２０の側面から外柱材３０側へと届く長いビス２２を用いて、平座金２７及びビス挿通孔２１を通して、該ビス２２の先端側を鬼目ナット孔３２にねじ込んで両柱材２０，３０を左右に併設した状態に連結する。この連結操作を柱材２０，３０の上下位置の複数箇所でビス止めすることにより両柱材２０，３０は一体化される。
【００３２】
その後、内側の柱材２０の上面２４に天井突張具４０を載せると、本体４１に設けられたビス挿通孔４６と外柱材３０に備えられている鬼目ナット孔３１とが対向し位置合わせした状態となり、この状態で本体４１の側方から外柱材３０側へと届く長いビス２２を用いて、平座金２７及びビス挿通孔４６を通して、該ビス４５の先端側を鬼目ナット孔３１にねじ込むことで本体４１と外柱材３０とを左右に併設した状態に連結して天井突張具４０を取り付ける。このとき、昇降筒体４３は外柱材３０と略同じ高さ程度に待機させて起立時に天井面Ｕに当接させないように低めにしておく。
【００３３】
さらに、内柱材２０の内側面(外柱材３０と反対側)には後述する柱材固定金具Ｊ２を上下方向に一定間隔にビス止めして取り付けておく。また、両柱材２０，３０の補強に際しては、図２に示すように、両柱材２０，３０の背面２０ｃ，３０ｃの縦方向に長尺の第２補強桟７２を両面テープ等で接着して両柱材２０，３０の連結強度を高めている。このようにして右壁面沿設部材１２側を組み立てる。同様にして左右対称の左壁面沿設部材１１側も予め組み立てておく。
【００３４】
そして、左右対称にそれぞれ組み立てられた左壁面沿設部材１１と右壁面沿設部材１２とを左右に並べ、その間で対向する両内側の柱材２０，２０のダボ孔２６に第１補強桟７１の両側に突出するダボ７１ａを嵌合させて両内側の柱材２０，２０の間を第１補強桟７１で水平に連結し、左壁面沿設部材１１と右壁面沿設部材１２との主構成が立体的に一体化する。
【００３５】
さらに、両側の外柱材３０，３０の外側に露出している側面３０ｂに、それぞれ化粧側板６０を図示しないビス、両面テープ等により取り付けて、左壁面沿設部材１１と右壁面沿設部材１２との両側の側方開口部Ｓを覆う。なお、化粧側板６０の取り付けに際しては、上述したビス２２を長く設け、その長いビスの先端側を化粧側板６０に螺着させるように連結して取り付けるようにしてもよい。最後に、一体化された左右の壁面沿設部材１１，１２にその正面から面材５０をジョイント金具Ｊ(Ｊ１，Ｊ２)を用いて固定する。
【００３６】
ジョイント金具Ｊ(Ｊ１，Ｊ２)は面材固定金具Ｊ１と柱材固定金具Ｊ２とからなり、面材固定金具Ｊ１は取付板９０と垂片９１とから構成され、このうち取付板９０は正面に平面対向する縦長の長方板を有し、その上下にはビス取付孔９２が開口されている。垂片９１は取付板９０の中間高さから取付板９０の下端より長く垂下させ、双方の平行対向面間で逆Ｕ字型の係合空間を形成している。そして、この面材固定金具Ｊ１が面材５０の裏面側の内柱材２０と対応する所定位置に複数個がビス止め固定して取り付けられる。
【００３７】
一方、柱材固定金具Ｊ２は取付板９４と受け部９５とから構成され、このうち取付板９４は側面に平面対向する縦長の長方板を有し、その上下にはビス取付孔９６が開口されている。受け部９５は楕円柱状を有して取付板９４の中間高さ位置に水平に突出し、上述した面材固定金具Ｊ１の係合空間９３に上下方向で係合対応するよう構成されており、この柱材固定金具Ｊ２が内柱材２０の内側面(図３の左側)の所定位置にビス止めして取り付けられる。そして、面材５０を取り付ける際は、内柱材２０に取り付けられた柱材固定金具Ｊ２の受け部９５に面材固定金具Ｊ１の係合空間９３が係合対応する位置で上方から引っ掛けるように被せて面材５０を取り付ける。
【００３８】
これによって、面材５０は取り外し可能に左右の壁面沿設部材１１、１２に固定されて壁面設置部材１０の組み立てが完了する。強度が必要な場合等は必要に応じてさらに面材５０の表面から両柱材２０，３０にビス止めを施してもよい。また、ジョイント金具Ｊ(Ｊ１，Ｊ２)を用いずに面材５０の表面から両柱材２０，３０に直接ビス止めしてもよい。
【００３９】
なお、現場によっては天井高さに対応するよう各部材を高さ調整する必要があるが、このような場合は、その天井高さに合わせるように各部材の高さ方向で支障のない部分を一部削除するとよい。例えば、両柱材２０，３０に対しては天井突張具４０を避けた下端部を、面材５０に対しては手の届き難い上端部を、化粧側板６０に対しては切欠き部６１，６２が施されていない上部を切除するとよい。
【００４０】
その後、組み立てられた壁面設置部材１０を所望の設置位置の壁面Ｗに沿わせて起立させた後、天井突張具４０の昇降筒体４３を回動させて、頂部の突張円板４４を天井面Ｕに当接するよう上動させて突っ張らせることにより壁面設置部材１０は天井面Ｕと床面Ｆとの上下間で独立した起立状態に固定支持される。このとき、柱材２０，３０は天井突張具４０の垂直な突っ張り力によって起立した状態を安定して保つことができる。
【００４１】
このように構築された壁面設置部材１０の前面に、必要に応じて設けられた面材５０が壁面Ｗの前方に平行して垂直に設置され、この面材５０に或いは壁面設置部材１０に直接に、家具、棚、薄型テレビ、絵画等の設置物８０の１つ或いは複数がビス止めされて設置される。
【００４２】
そして、壁面設置部材１０を使用した場合、正面側は設置物８０や面材５０が位置するため背面側は見えない。また、側方開口部Ｓは化粧側板６０で覆っているため、この壁面設置部材１０の内方空間は見えず、室内の雰囲気を損なわないようにすることができる。
さらに、模様替えや引越し等で取り外す場合は、面材５０から設置物８０を取り外した後、続いて天井突張具４０の昇降筒体４３を回動させれば上下方向の突っ張り力が緩み、直ちに柱材２０，３０の取り外しが可能となるため簡単に壁面設置部材１０を取り外すことができる。このとき、壁面Ｗは元のままの状態で無傷である。
【００４３】
以上説明したように、天井面Ｕと床面Ｆとの間に、柱材２０，３０を上下方向に突っ張らせて下地柱として起立させることができるため壁面Ｗに頼らず下地柱材を独立して固定することができる。これにより、壁面Ｗの前方に下地板としての面材５０を構築することができるようになり、壁面Ｗと非接触の面材５０に設置物８０を設置することが可能になる。よって、壁面Ｗを損傷させることがなくなる。
【００４４】
さらに、天井突張具４０の突っ張りと、その解除操作によって壁面設置部材１０を容易に着脱できるため壁面Ｗに傷跡を残すことなく取り付け、取り外しが可能になり、室内の模様替え、引っ越しにも簡単に対応できるようになる。
【００４５】
また、天井突張具４０と同構造のものを床面突張具として床面Ｆと柱材２０，３０との間に介在させて用いてもよく、天井突張具４０と床面突張具とを併設することも可能である。さらに、柱材２０，３０を床面Ｆから立ち上げる以外に、下部に備えられた固定物から立ち上げてもよい。
【００４６】
次に、面材５０の他の例を示す。上述の実施例では面材５０を１枚物のパネルで構成して示したが、分割された複数枚のパネルを一枚物に組み立てるように構成してもよい。例えば、図５に示すように、面材５０を上下方向に３分割し、このうち上部と中間部は縦長の小パネル５１，５２を用い、下部は縦長の大パネル５３を用いる。そして、これらの上下方向の分割面の一方にダボ５２ａ，５３ａを突設させ、他方にダボ穴５１ａ，５２ｂを穿設させて上下方向のパネル間を着脱自在に構成している。
【００４７】
このように分割された３枚一組の面材５０を組み合わせて用いる場合、予め３枚のパネル５１，５２，５３を一枚物に組み立てておいてから柱材２０，３０側に取り付けるようにしてもよく、下部の大パネル５３、中間部の小パネル５２、上部の小パネル５１と下部側から１枚ずつ順に積み上げて取り付けるようにしてもよい。なお、このような３枚一組の面材５０の場合でもジョイント金具Ｊ(Ｊ１，Ｊ２)を用いてもよく、ビス止めだけで取り付けるようにしてもよい。
【００４８】
以下、起立した柱材２０，３０に各パネル５１，５２，５３を１枚ずつ取り付ける例をとって説明すると、まず作業者は大パネル５３を柱材２０，３０の下部正面に置き、大パネル５３のビス取付孔５０ａに図示しないビスを通して柱材２０，３０にビス止めして取り付ける。この際、作業者は床面Ｆに立って取付操作ができるため大パネル５３であっても自然な姿勢で容易に取付操作ができる。続いて、作業者は床面Ｆに立ったまま大パネル５３の上面に突出しているダボ５３ａに中間部の小パネル５２の下面に凹設されているダボ穴５２ｂを嵌合させて上下につなぎ合わせる。そして、中間部の小パネル５２のビス取付孔５０ａに図示しないビスを通して柱材２０，３０にビス止め固定する。この際、中間部の小パネル５２はさらに小さく軽量であるため一層取り扱い易くなる。最後に、作業者は脚立等に乗って中間部の小パネル５２の上面に突出しているダボ５２ａに小パネル５１の下面に凹設されているダボ穴５１ａを嵌合させて上下につなぎ合わせる。そして、上部の小パネル５１のビス取付孔５０ａに図示しないビスを通して柱材２０，３０にビス止め固定して取り付ける。この際も上部の小パネル５１は小さく軽量であるため取り扱い易く、作業者は負担が少ない状態で取り付けることができる。特に、取り付け易い下部側は大きな面材(大パネル５３)を使用し、脚立等を要する上部側は小さい面材(小パネル５１)にして取付操作性を容易にすることができる。
【００４９】
本発明の構成と、上述の実施例の構成との対応において、本発明の構成は請求項に記載される技術思想に基づいて応用することができ、実施例の構成のみに限定されるものではない。例えば、上述の実施例では外柱材３０を床面Ｆに当接させて起立させる例を示したが、これに限らず、外柱材３０を床面Ｆに接触させない長さにし、内側の柱材２０のみを床面Ｆに当接させるように構成することができる。
【符号の説明】
【００５０】
１０…壁面設置部材                 １１… 左壁面沿設部材
１２…右壁面沿設部材               ２０…内柱材(柱材)
２０ａ，３０ａ…正面               ２０ｂ，３０ｂ…側面
２０ｃ，３０ｃ…背面               ２１，４６…ビス挿通孔
２２，４５…ビス                   ２３，３３…底面
２４，３４…上面                   ２５…上方空間
２６…ダボ孔                       ２７…平座金
３０…外柱材(柱材)                 ３１，３２…鬼目ナット孔
４０…天井突張具                   ４１…本体
４１ａ…軸固定部                   ４２…固定軸
４３…昇降筒体                     ４４…突張円板
５０…面材                         ５０ａ，９２，９６…ビス取付孔
５１，５２…小パネル               ５１ａ，５２ｂ…ダボ穴
５３…大パネル                     ５２ａ，５３ａ，７１ａ…ダボ
６０…化粧側板                     ６１…巾木用切欠き部
６２…配線用切欠き部               ６３…隙間（配線スペース）
７０…補強材                       ７１…第１補強桟
７２…第２補強桟                   ８０…設置物
９０，９４…取付板                 ９１…垂片
９３…係合空間                     ９５…受け部         
Ｆ…床面                           Ｕ…天井面
Ｗ…壁面                           Ｓ…側方開口部
Ｊ…ジョイント金具                 Ｊ１…面材固定金具
Ｊ２…柱材固定金具
【図１】
2014150906.tif 000003
【図２】
2014150906.tif 000004
【図３】
2014150906.tif 000005
【図４】
2014150906.tif 000006
【図５】
2014150906.tif 000007